(57)【要約】      （修正有） 【課題】家電を容易に高度に使用する事を主目的としたものであり、ユーザーが煩雑な操作を意識することなく高度な使用を行うこと。【解決手段】主におまかせ手段を使用することにより前記課題を解決する。例えばユーザ認識又は製品認識により関連の説明を行い、製品の自動制御も可能とする。説明した製品を画面入力により購入できる販売手段も具備する。管理手段は、ナビゲーション手段を持ち、親機、子機に分離されている。ナビゲーション手段は、説明手段、自動制御手段、製品認識手段等を具備する。【選択図】図１
2005182422.tif 000002
【特許請求の範囲】
【請求項１】
おまかせ家電は、管理者が所有権をもつか、または管理者に委任または譲渡されたおまかせ手段を備えることを特徴とするおまかせ家電。
【請求項２】
請求項１のおまかせ家電は、ナビゲーション手段あるいはナビゲーション手段が使用する記憶手段のいずれか一つまたはその両方の内容または手段そのものを管理手段に、ユーザー側の所有権放棄、委任あるいは譲渡のいづれかひとつまたはその組み合わせにて、制御されるナビゲーション手段を備える事を特徴とするおまかせ家電。
【請求項３】
おまかせ家電は、ユーザーを認識するユーザー認識手段を備える事を特徴とするおまかせ家電。
【請求項４】
請求項３のおまかせ家電は、ユーザーを認識すると、あいさつなどの語りかけ表示をする語りかけ表示手段を備えることを特徴とするおまかせ家電。
【請求項５】
おまかせ家電は、製品を認識する製品認識手段を備える事を特徴とするおまかせ家電。
【請求項６】
請求項５のおまかせ家電は、製品を認識すると、製品の使用説明、新製品説明あるいはバージョンアップなどの情報を表示する説明手段を備えることを特徴とするおまかせ家電。
【請求項７】
請求項５のおまかせ家電は、新製品に対して自動制御を行う自動制御手段を備える事を特徴とするおまかせ家電。
【請求項８】
おまかせ家電は、
おまかせ家電に自動制御あるいは、説明された製品に関して、
その家電を販売する販売手段を備える事を特徴とするおまかせ家電
【請求項９】
請求項１から請求項８のいずれかのおまかせ家電は、
アイドルなどの購入者が希望する映像による特定映像ナビゲーション手段を備える事を特徴とするおまかせ家電。
【請求項１０】
請求項１から請求項９のいずれかのおまかせ家電は、
そのいづれかの手段を人または人と機械のいづれかが行うことを特徴とするおまかせ家電。
【請求項１１】
おまかせ家電としてのおまかせ空気清浄機または空気清浄機は、
所定の駆動手段と、それにより駆動される除菌型空気清浄機とマイナスイオン発生型空気清浄機とを備えることを特徴とするおまかせ空気清浄機または空気清浄機。
【請求項１２】
空気清浄機は、空気清浄機のナビゲーション手段がエアーサンプラーであることを特徴とする空気清浄機。
【発明の詳細な説明】
【技術分野】
【０００１】
本発明は、家電の高度使用に関する技術である。
【背景技術】
【０００２】
従来には、家電販売路あるいは消費者に対しての健康、セキュリティ、物品などの管理、アドバイス、あるいはナビゲートなどを容易に行える家電製品はなかった。
従来のコンピュータによる管理は、素人や準素人が操作するためには、操作方法の複雑性などがあり、それによる管理、アドバイス、ナビゲートなどには限界を生じていた。
【発明の開示】
【発明が解決しようとする課題】
【０００３】
従来のコンピュータを使用した管理システムなどは、その機械やソフトウエアを購入した消費者（ユーザー）が、プログラムやデータあるいは、機械の内容や操作に関する権限を有しており、このため第３者がそれを制御するなどの管理を行えず、その結果高度な操作を素人である消費者（ユーザー）に押しつけていた。これにより高度な作業すなわち、消費者に対しての健康、セキュリティ、物品などの管理、あるいはアドバイス、ナビゲートなどは極めて困難もしくは不可能であった。またリモートコンピューティングのような権限を委任するようなシステムがあったとしても、ＯＳのディスクトップを始めとし個人情報を開示しながらのリモートであったし、またリモート自体を行うようにする操作も極めて煩雑であった。
【課題を解決するための手段】
【０００４】
１〔請求項１の手段〕
請求項１のおまかせ家電は、
管理者が所有権をもつか、または管理者に委任または譲渡されたおまかせ手段を備えることを特徴とする。
２〔請求項２の手段〕
請求項２のおまかせ家電は、ナビゲーション手段あるいはナビゲーション手段が使用する記憶手段のいずれか一つまたはその両方の内容または手段そのものを管理手段に、ユーザー側の所有権放棄、委任あるいは譲渡のいづれかひとつまたはその組み合わせにて、制御されるナビゲーション手段を備える事を特徴とする。
３〔請求項３の手段〕
おまかせ家電は、ユーザーを認識するユーザー認識手段を備える事を特徴とする。
４〔請求項４の手段〕
請求項３のおまかせ家電は、ユーザーを認識すると、あいさつなどの語りかけ表示をする語りかけ表示手段を備えることを特徴とする。
５〔請求項５の手段〕
おまかせ家電は、製品を認識する製品認識手段を備える事を特徴とする。
６〔請求項６の手段〕
請求項５のおまかせ家電は、製品を認識すると、製品の使用説明、新製品説明あるいはバージョンアップなどの情報を表示する説明手段を備えることを特徴とする。
７〔請求項７の手段〕
請求項５のおまかせ家電は、新製品に対して自動制御を行う自動制御手段を備える事を特徴とする。
８〔請求項８の手段〕
請求項８のおまかせ家電は、
おまかせ家電に自動制御あるいは、説明された製品に関して、
その家電を販売する販売手段を備える事を特徴とする。
９〔請求項９の手段〕
請求項９のおまかせ家電は、
アイドルなどの購入者が希望する映像による特定映像ナビゲーション手段を備える事を特徴とする。
１０〔請求項１０の手段〕
請求項１０のおまかせ家電は、
そのいづれかの手段を人または人と機械のいづれかが行うことを特徴とする。
１１〔請求項１１の手段〕
請求項１１のおまかせ家電としてのおまかせ空気清浄機または空気清浄機は、
所定の駆動手段と、それにより駆動される除菌型空気清浄機とマイナスイオン発生型空気清浄機とを備えることを特徴とする。
１２〔請求項１２の手段〕
請求項１２の空気清浄機は、空気清浄機のナビゲーション手段がエアーサンプラーであることを特徴とする。
【発明の効果】
【０００５】
１〔請求項１の作用および効果〕
請求項１のおまかせ家電は、
管理者が所有権をもつか、または管理者に委任または譲渡されたおまかせ手段を備えることを特徴とするので、煩雑な操作をせずにユーザー（消費者）が家電の能力すべてあますとこなく使用できる。
２〔請求項２の作用および効果〕
請求項２のおまかせ家電は、
ナビゲーション手段およびその手段が使用する記憶手段のいずれか一つまたはその両方の内容を管理手段に、ユーザー側の所有権放棄、委任あるいは譲渡のいづれかひとつまたはその組み合わせにて、制御されるナビゲーション手段を備えることを特徴とするので、管理手段により容易にナビゲーション手段やその内容を変更でき、その結果消費者（ユーザー）が煩雑な操作を行わずに、消費者に対しての健康、セキュリティ、物品などの管理、あるいはアドバイス、ナビゲートなどを行える。
言い換えれば、煩雑な操作は、メーカーなどのプロにおまかせしてしまうということである。そのためにナビゲーション手段およびその手段が使用する記憶手段のいずれか一つまたはその両方の内容を管理手段に委任あるいは譲渡するのである。
そしてナビゲーション手段は、テレビの画像（音声付きでもなしでもよいが音声付きがのぞましい。）により消費者（ユーザー）をナビゲートなどするので、個人情報の開示がまったくない。これは一種のファイアーウオールでもある。
また映像によるナビゲーションであるので非常にわかりやすい。
３〔請求項３の作用および効果〕
おまかせ家電は、ユーザーを認識するユーザー認識手段を備える事を特徴とするので、ユーザーの存在を確認した動作ができる。一例として帰宅時に「おかえりなさい」、出勤時に「行ってらっしゃい」などの語りかけ手段動作のためのトリガーとして使用できる。
４〔請求項４の作用および効果〕
請求項３のおまかせ家電は、ユーザーを認識すると、あいさつなどの語りかけ表示をする語りかけ表示手段を備えることを特徴とするので、大変喜ばしい。またユーザーフレンドリーであり、神経症やストレスの緩和ができる。
５〔請求項５の作用および効果〕
請求項５のおまかせ家電は、製品を認識すると、製品の使用説明、新製品説明あるいはバージョンアップなどの情報を表示する説明手段を備えることを特徴とするので、製品の使用方法が容易にわかる。
６〔請求項６の作用および効果〕
請求項４のおまかせ家電は、製品を認識すると、製品の使用説明、新製品説明あるいはバージョンアップなどの情報を表示する説明手段を備えることを特徴とするので、どのような製品を購入してもすぐに使用できる。また製品の性能をすべてあますことなく使用ができるのでむだがない。従来は、製品の機能をすべて使用できなかったのが素人たる消費者の悲しいところであった。さらにまた新製品の内容も容易に知ることができ販売員の教育費用が少なくてすむ。とくに製品のバージョンアップなどの煩雑な操作から販売員が逃れることができるので販売に要する労力やコストの大幅な縮小ができる。
ここで、購入製品の使用情報などの個人情報は、管理手段に知られることがない。
７〔請求項７の作用および効果〕
請求項４のおまかせ家電は、新製品に対して自動制御を行う自動制御手段を備える事を特徴とするのでどのような製品を購入してもすぐに使用できる。また製品の性能をすべてあますことなく使用ができるのでむだがない。従来は、製品の機能をすべて使用できなかったのが素人たる消費者の悲しいところであった。
ここで自動制御された製品に関して、その製品の使用情報を管理手段にしられたくない場合は、説明手段のみを選択し、知られても良い場合は、自動制御手段を使用するプライバシー選択手段を備えても良い。
８〔請求項８の作用および効果〕
請求項８のおまかせ家電は、
おまかせ家電に自動制御あるいは、説明された製品に関して、
その家電を販売する販売手段を備える事を特徴とするので、製品を容易かつすぐに購入できる。
９〔請求項９の作用および効果〕
請求項９のおまかせ家電は、
アイドルなど購入者が希望する映像による特定映像ナビゲーション手段を備える事を特徴とするので、とっても楽しい。
１０〔請求項１０の作用および効果〕
請求項１０のおまかせ家電は、
そのいづれかの手段を人または人と機械のいづれかが行うことを特徴とするので、機械だけでは不可能なきめ細かな対応ができる。
１１〔請求項１１の作用および効果〕
請求項１１のおまかせ家電としてのおまかせ空気清浄機または空気清浄機は、
所定の駆動手段と、それにより駆動される除菌型空気清浄機とマイナスイオン発生型空気清浄機とを備えることを特徴とするので、酸化作用を利用した除菌型空気清浄機にて空気中の菌を不活化したのち、活性酸素などを中和するマイナスイオン発生型空気清浄機を起動し前記除菌型空気清浄機によって作られた酸化雰囲気や通常肺などで生成される活性酸素を不活化し安全で健康的な雰囲気をつくることができる。
１２〔請求項１２の作用および効果〕
請求項１２の空気清浄機は、空気清浄機のナビゲーション手段がエアーサンプラーであることを特徴とするので、空気の汚染度を指標とした販売促進ができるので視覚的かつ具体的な販売促進であるので販売効果が高い。
【発明を実施するための最良の形態】
【０００６】
本発明のおまかせ家電を、図１〜図４に示す実施例または変形例に基づき説明する。
おまかせ家電は、ナビゲーション手段あるいはナビゲーション手段が使用する記憶手段のいずれか一つまたはその両方の内容または手段そのものを管理手段に委任あるいは譲渡され制御されるナビゲーション手段を備えることを特徴とすることを実施の形態とする。この委任あるいは譲渡され制御されるナビゲーション手段をそなえる管理手段が、おまかせ手段である。
【０００７】
〔実施例の構成〕
一例としておまかせ家電（手段、方法）は、主用手段として、ナビゲーション手段を備える。最良の形態は、おまかせ家電のナビゲーション手段をテレビが有しており、そのテレビを中心としてテレビ自身またはその他の家電にナビゲーション手段を供給する形態が最良と考えられる。もちろん掃除機や電子レンジ、冷蔵庫にナビゲーション手段を搭載してもよいが、モニターの重複をさけるためにはテレビが最良と考えられる。またパソコンが中心とするのが良いように思えるが、パソコンでは、パソコン内の仮想空間は、個人所有なので前記のごとく個人情報や著作権などの問題があるのでこのましくない。
【０００８】
ここで管理手段の最良の形態は、図１のごとく管理者が管理手段を保有し、その所有権を有するのが最良の形態と考えられる。さらに管理手段は、親機と子機にわかれて子機がナビゲーション手段を制御するのが最良の形態と考えられる。そして遠隔地から子機が親機により制御される。
【０００９】
［効果］
従来では、販売した製品のすべてが個人の所有となるが、おまかせ家電では、管理手段は、メーカーなど管理者の所有となる。これにより従来ではなしえなかったきめ細かなナビゲーションが可能となる。従来ではいちいちユーザーの確認が必要でありナビゲートなどは到底不可能であった。管理手段は、管理者の所有の他、管理者への委任、譲渡などがある。最も良い実施の形態は、管理者所有。そして管理者への譲渡であり、委任は、その次である。
【実施例１】
【００１０】
第１実施例は、おまかせ家電の一例であるおまかせテレビを中心とした例を開示する。
［第１実施例の形態］
管理手段とナビゲーション手段
図１におて、おまかせ家電は、少なくとも管理手段を備え、管理手段は、少なくともナビゲーション手段を備える。ここで管理手段は、のぞましくは親機と子機とにわかれ、その間を電話線、無線、優先、ＣＡＴＶあるいはＬＡＮなど通信手段にて接続されている。
もちろん管理手段は一つでもよいが、親機と子機に分離されていると遠隔性があるので分離型がより好ましい。（ここで特殊な一例として、管理手段が唯一ひとつの場合の特殊な一例として、ナビゲーション手段＝管理手段となることもある。）そして子機は、望ましくは、おまかせテレビに独自のスロット、すなわちおまかせスロットで内装、接続されるのが好ましい。おまかせスロットは、ＰＣＩベイなどの他のスロットでない独自スロットであればどのようなものでもよい。
そして一例として電話線などの前記通信回線にて親機と接続され、親機は、管理手段の管理者にて運用されるのが好ましい。もちろん１対１の対応でも良いが効率が良いとはいえないので親機は、多くの子機と通信したり、制御したりしてもよい。
【００１１】
ナビゲーション手段
ナビゲーション手段は、主要手段として語りかけ手段、説明手段、自動制御手段、製品認識手段、あるいはユーザー認識手段のいづれか一つまたは、その組み合わせと、おまかせインターフェイスあるいは既知のインターフェイスからなり、そのインターフェイスは、おまかせテレビをはじめとした家電（製品）に接続されている。
【００１２】
［構成］
管理手段とナビゲーション手段
一例として管理手段親機を既知のコンピュータにて構築し、管理手段子機もまた既知のコンピュータで構築する。そしておまかせインターフェイスの接続プロトコルは、ＩＥＥＥ１３９４を採用する。その接続もＩＥＥＥ１３９４コネクタを使用してもよいが、独自コネクタあるいは独自スロットが所有権の境界を明確にするためにものぞましい。そしてユーザーが、おまかせサービスを拒否する場合の最も簡単な方法は、このおまかせインターフェイスを引き抜けばよいので誰にでも選択、非選択の意志が簡単にできる利点がある。そしてこれが最も簡単な選択手段である。
【００１３】
一例として管理手段親機は、一例として既知の通信回線（電話回線）で一例としておまかせテレビ内の管理手段子機と接続されている。
【００１４】
ナビゲーション手段
ナビゲーション手段は、主要手段として語りかけ手段、説明手段、自動制御手段、製品認識手段、あるいはユーザー認識手段のいづれか一つまたは、その組み合わせと、おまかせインターフェイスあるいは既知のインターフェイスからなり、そのインターフェイスは、おまかせテレビをはじめとした家電（製品）に接続されている。
【００１５】
語りかけ手段
［構成］
一例として、語りかけ手段は、ユーザー認識手段または製品認識手段からユーザーまたは製品の存在を関知して作動し、おまかせテレビに映像をおくる。具体的な一例として既知のコンピューターによる映像再生手段を使用する。その信号をＩＥＥＥ１３９４あるいは、ＮＴＳＣ信号またあるいは既存のコンピュータのビデオ信号でおまかせテレビに送信する。独自インターフェイスをもたないおまかせテレビは、既知のモニターである。
［動作］
具体的な一例には、ユーザー認識手段からユーザー存在の信号を得る。その信号によりおまかせテレビをＯｎにする。そして映像ストリームをおまかせテレビに送る。
【００１６】
説明手段
一例として、製品認識手段から製品の存在と製品データを受け取り作動し、おまかせテレビに映像をおくる。既知のコンピューターによる映像再生手段を使用する。その信号をＩＥＥＥ１３９４あるいは、ＮＴＳＣ信号またあるいは既存のコンピュータのビデオ信号でおまかせテレビに送信する。独自インターフェイスをもたないおまかせテレビは、既知のモニターである。
［動作］
具体的な一例には、製品認識手段から製品データを得る。て映像ストリームをおまかせテレビに送る。おもに新製品のアナウンスを行う。
【００１７】
自動制御手段
［構成］
一例として、ユーザー認識手段または製品認識手段からユーザーまたは製品の存在を関知して作動し、指定または特定された製品を自動制御する。具体的な一例では、既知のコンピュータ自動制御手段を使用する。ここで説明手段と自動制御手段は、ユーザーに拒否権があるので、この手段を使用するか否かをおまかせインターフェイスをＯｎＯｆｆする選択手段があるのが好ましい。具体的な一例として、ビデオ録画の設定を自動制御する制御手段などである。電話などでユーザーが録画をしてほしい旨を、管理手段親機に双方向性手段を通じて意思表示するとできる。
［動作］
具体的な一例には、ナビゲーション手段のユーザー認識手段からユーザー存在の信号を得る。その信号によりおまかせテレビをＯｎにする。そして映像ストリームをおまかせテレビに送る。
【００１８】
製品認識手段
［構成］
一例としておまかせ家電は、特定パターンの発信を行うＩＤ送信機を指標手段として使用する。もちろんＵＳＢなどで代表されるコードでの接続にてＩＤを送信するような手段を採用しても良い。
具体的な一例では既知の電波発信機にパターンジェネレータを接続し、ｎビット（ｎは、自然数など）の繰り返しパルスを０と１を２つの変調パターンにてＦＭあるいはＡＭ変調に対応した電波で送信する。これは、おまかせ家電をコンセントに差し込んだり、家電をおまかせモードにしたりすると発信するように設定されている。
これを製品認識手段手段が検出したらＩＤをナビゲーション手段の記憶手段における、おまかせ家電ＩＤコードデータベースに参照する参照手段が、一致するＩＤを検索し、一致したらその製品データを出力する手段をそなえるのが構成の一例である。
［動作］
おまかせ家電をコンセントに接続すると、ＩＤを発信する。そのＩＤ信号を管理手段におけるナビゲーション手段の製品認識手段が検出し、製品データを出力する。そしてそのデータにより一例として製品説明手段が起動する。
【００１９】
ユーザー認識手段
［構成］
一例としてユーザーは、特定パターンの発信を行うＩＤ送信機を指標手段として使用する。
具体的な一例には既知の電波発信機にパターンジェネレータを接続し、ｎビット（ｎは、自然数など）の繰り返しパルスを０と１を２つの変調パターンにてＦＭあるいはＡＭ変調に対応した電波で送信する。これは、持続的でもよいし、またユーザーがスイッチをおすと発信してもよい。これを検出手段が検出しＩＤが整合すれば、１、不整合なら０などの特定信号を出力する。
［動作］
ユーザーが検出範囲にはいると動作しユーザー存在の信号を出力する。
【００２０】
双方向性手段
一例として電話を使用する。この電話にて語りかけ手段の映像を選択するように既知のデータ選択手段などが設けられている。選択がなされたなら管理手段の親機から特定の子機へ映像データなどが送信される。
また前記の説明手段にて説明された家電の販売をこの手段で行っても良い。
【００２１】
ここで、映像データの一例として、ユーザーが家に帰ってきたとき、おまかせテレビが前記語りかけ手段からの映像ストリームにより、自動的に「おかえりなさい」と語りかけてくる。この映像は、ユーザーの好みのアイドルや恋人などを選択できるようにしておくと好ましい。
【００２２】
販売手段
［構成と動作］
前記説明手段にて説明された製品を販売する販売映像をおまかせテレビに送信する。販売画面手段と、販売を受け付ける受付手段とからなる。販売画面手段は、既知のコンピューターによる映像再生手段を使用する。また受付手段は、既知のコンピュータでの販売画面となる。そして販売スイッチをクリックすれば製品が送られてくるなどである。具体的な一例には、ナビゲーション手段の販売手段が双方向性に販売を行う。これは既知の回路で達成ができるが、ここでも管理手段が管理者の所有権であることで、ユーザーが煩雑な操作をせずに家電製品が購入できるし、双方向性にきめ細かな対応ができる。またメインテナンスもこまかな対応ができる。
【００２３】
［動作］
管理手段の動作。
管理手段親機は、前記動作のプログラム、データあるいは、各手段を子機に付与する。
具体的な一例には、語りかけ手段の映像、音声データあるいはプログラムを前記通信手段にて送り子機の映像再生手段の記憶手段にダウンロードする。
【００２４】
双方向性手段を親機が有する場合は、
ユーザーが電話をし、管理手段に接続すると管理手段が対応する。その結果が子機のナビゲーション手段に反映される。具体的な一例としては、語りかけ手段の映像を自分の好みのアイドルを選択するように親機の自動選択手段が電話のユーザーに対応する。さらに具体的な一例には、ユーザーが親機に電話接続すると既知の自動応答手段により、語りかけ手段のアイドルと、それに対応する番号を押すように語りかける。そしてユーザーは、好みの番号を電話の番号にて押して答える。
【００２５】
これにより親機は、既知の選択手段にてユーザー選択のアイドル映像を子機の語りかけ手段の記憶手段にダウンロードする。この操作は、親機からの自動制御によりできる。この制御を容易にかつ自動的に行えるのは、管理手段がユーザーの所有ではないからである。
【００２６】
ここで、この押しつけがましいサービスを拒否したいのなら、おまかせインターフェイスを抜けばよいのである。もっとも押しつけがましいほどの自動対応ということは、もっとも簡単な家電を意味しているのである。
【００２７】
［効果］
他との違い（独自性）
以上の管理手段は、購入段階にてすでに管理者の所有、消費者（ユーザー）から管理者への所有権放棄、委任あるいは譲渡などにより始まる、言い換えれば終生、管理手段は消費者（ユーザー）のものではなく、管理者のものであるという点が従来とは異なり、その境界をおまかせインターフェイスとしている点が従来とはことなる。この効果は、家電を飛躍的に便利にかつ、相乗作用にて進化させるということが可能となる。
【００２８】
［変形例］
語りかけ手段と説明手段と双方向性手段を組み合わせて使用しても良い。この場合、おまかせテレビなどの映像（音声付きがのぞましい）と語りある事ができる。さらにＶＲを使用してさらにリアルにおまかせテレビが進化してもよい。
【００２９】
このような手段を実現したりこのようなきめこまかなサービスを行うための最も重要な手段は、管理手段が管理者の所有であり、ユーザーの所有でないことが最も重要な手段である。
【実施例２】
【００３０】
第２実施例は、酸化作用を利用した除菌型空気清浄機と、マイナスイオン発生型空気清浄機とを最適に使用する管理手段を一例として開示する。
【００３１】
［第２実施例の形態］
管理手段とナビゲーション手段
管理手段は、第２メーカーの社員がおこなう。そして図４において第１メーカーから供給された除菌型空気清浄機（一例としてナノｅ）とマイナスイオン発生型空気清浄機が第２メーカーにて駆動手段を付加した複合機を作成し、ユーザーにむけて語りかけ手段にて語りかけそして出荷する。さらにユーザーに対して使用方法を説明する。
【００３２】
ナビゲーション手段
ここでは、第２メーカーの社員が行う。
具体的な一例として、エアーサンプラーを前記複合機とともに動作をし、その培養結果を複合機の効力として説明を行う。
【００３３】
［構成］
管理手段とナビゲーション手段
一例として第２メーカーの社員がおこなう。（または人と機械の混合で行っても良い。）
以下の１から６は、すべて人が行う。言い換えれば構成は、主な構成は人である。（または人と機械の混合で行っても良い。）
１語りかけ手段
２説明手段
３自動制御手段
４製品認識手段
５ユーザー認識手段
６双方向性手段
【００３４】
［動作］
Ｂ管理手段の動作。
第１メーカーから除菌型空気清浄機とマイナスイオン発生型空気清浄機が第２メーカーにとどく。そして第２メーカーで駆動手段を付加して出荷する。
【００３５】
ここで駆動手段は、一例としてタイマーによるＡＣ１００Ｖ切り替えタイマーを使用する。具体的な一例には、設定時間をＴ（一例として３０分）とすると、Ｔ時間内には、除菌型空気清浄機Ｏｎとなり、その時点でマイナスイオン発生型空気清浄機は、Ｏｆｆとなるタイマーとタイマー制御スイッチからなる回路である。そして設定時間Ｔをすぎると、こんどは除菌型空気清浄機がＯｆｆとなり、マイナスイオン発生型空気清浄機Ｏｎとなる手段である。（図４の下図参照）
【００３６】
ここで、菌検出手段を使用し、菌が存在またはユーザーが定めた量以上になれば、除菌Ｏｎとし、その時点でマイナスイオンをＯｆｆとするタイミング回路を採用してもよい。この時菌の存在がなくなれば、除菌ＯｆｆマイナスイオンＯｎとする回路でも良いし、３０分など所定の除菌時間を設けたタイマー回路でもよい。（図４下図参照）
【００３７】
前記の駆動手段におけるタイミングは、いづれかひとつまたは、その両方を組み合わせても良い。
【００３８】
さらにここで、菌検出手段は、エアーサンプラーと同じ構造を有し、エアーサンプラーの培地を取り付ける場所に漏斗状の菌採取手段を有しかつ漏斗の先に分析用ビームの波長透過バイアルを有した菌採取手段を採用してもよい。この時漏斗を音波、超音波で駆動し、漏斗先端に菌を効率的に集める媒体波駆動手段を設けても良い。
【００３９】
そして赤外、紫外、可視などのビームを前記バイアルに透過または反射させてアミノ酸や糖を計測し、菌検出手段としてもよい。一例として赤外領域ならアミド１、アミド２、または１０００ｃｍ−１付近の糖ピークパターンなどの相関のいづれかひとつまたはその組み合わせを求めて菌検出手段としても良い。
【００４０】
これにより、酸化作用を利用した除菌型空気清浄機にて空気中の菌を不活化したのち、活性酸素などを中和するマイナスイオン発生型空気清浄機を起動し前記除菌型空気清浄機によって作られた酸化雰囲気や通常肺などで生成される活性酸素を不活化し安全で健康的な雰囲気をつくることができる。
【００４１】
双方向性手段を利用する場合は、電話などの通信手段を人が使用して行う。
【００４２】
以上の各手段のフローの一例を図２、図３に記載する。
【００４３】
図２は、第２メーカーが一つの場合の例である。図のごとく第２メーカーが管理手段の管理者である。
【００４４】
図３は、第２メーカーが複数の場合で、第２メーカーのひとつあるいは、管理事業部が複数の管理手段をさらに統括管理する管理手段を有する管理手段を示す。これは、多くのおまかせ家電を効率的に管理するのに適している。
【００４５】
メーカーは、複数でも一つでも良い。ひとつの場合は、事業部単位で独立しうけもつことが好ましいが、管理手段を有する管理者は、第３者的な視点で管理を行うことがこのましいので、完全に独立した組織がのぞましい。
【００４６】
［効果］
他との違い（独自性）
以上の管理手段は、購入段階にてすでに消費者（ユーザー）から管理者への委任あるいは譲渡により始まる、言い換えれば終生、管理手段は消費者（ユーザー）のものではなく、管理者のものであるという点が従来とは異なり、その境界をおまかせインターフェイスとしている点が従来とはことなる。この効果は、家電を飛躍的に便利にかつ、相乗作用にて進化させるということが可能となる。
【００４７】
［変形例］
１電動歯ブラシ
ブラシの振動周波数、振幅、毛先の選択、毛先の角度、歯磨き時間などをナビゲーション手段が供給する。歯垢清掃能試験手段あるいは象牙質摩耗量試験手段のいづれかひとつまたはその組み合わせの手段が、ナビゲーション手段であってもよい。
【００４８】
２ウォーターピック
流量、流速、流体振幅、適用角度、適用時間などをナビゲーション手段が供給する。
【００４９】
３空圧まくら
頭部の高さ、頸椎の湾曲度、空気圧などをナビゲーション手段が供給する。顎関節症診断手段がナビゲーション手段であってもよい。この場合、頸椎が正常値に存在するか否かを前記枕の高さなどの信号にて診査する。
【００５０】
４赤外線輻射機
赤外線の波長、赤外線の振幅、適用時間などをナビゲーション手段が供給する。
【００５１】
もちろんいづれの手段を組み合わせておまかせ家電を構成するかは、製造者、管理者、ユーザーなどの自由である。
【００５２】
〔総合変形例〕
【００５３】
第１メーカーと第２メーカーは、同じ組織内にあってもよいし、独立した組織でも良い。
もちろん第１メーカーと第２メーカーは、一つでもよいが、独立していたほうがより良い。
【００５４】
家電が基本であるが、プロ用として仕事に使用してもよいなど使用目的は本発明の趣旨に沿えばどのようでもよい。
【００５５】
上記実施例または変形例は単独で実施しても良いし、また組み合わせて実施しても良い。また他の用途に使用しても良い。また上記手段に関しても、術者や製造者が取捨選択し使用、製造するなど単独あるいはどのような組み合わせの構成をなしてもよい。一例として、エアーサンプラーを空気清浄機のナビゲーション手段として使用し、その培養結果を説明手段にて説明するなどである。これは非常に高い販売促進効果がある。
【００５６】
もちろんいづれの手段を使用するか、またはいづれかの手段を組み合わせておまかせ家電を構成するかは、製造者、管理者、ユーザーなどの自由である。
【産業上の利用可能性】
【００５７】
本おまかせ家電は、家電の使用、購入が簡単となる。また帰宅や仕事自体が楽しみな家電ができるので、家電がさらに売れる。それにともない管理手段の販売も大きくなり、メーカー、ユーザー、販売組織すべてがうるおう。
【図面の簡単な説明】
【００５８】
【図１】おまかせ家電の一例  （ナビゲーション手段の各手段は取捨選択してもよい。）。
【図２】おまかせ家電の管理手段などの一例。
【図３】おまかせ家電の管理手段などの一例。
【図４】おまかせ家電の管理手段などの一例。
【図１】
2005182422.tif 000003
【図２】
2005182422.tif 000004
【図３】
2005182422.tif 000005
【図４】
2005182422.tif 000006